(57)【要約】【課題】ゴルフクラブヘッドを提供する。【解決手段】ゴルフクラブヘッドは、クラブヘッド本体と重量アセンブリを備える。クラブヘッド本体は凹槽を有する。重量アセンブリは凹槽中で組み立てられ、重量ブロックと固定素子を有する。重量ブロックは組み立て孔を有する。固定素子は、頭部、クラブヘッド本体に鎖固される鎖固部、頭部と鎖固部の間に連接される連接部、および連接部から突出する突出部を含む。突出部が組み立て孔に照準する時、鎖固部と突出部は組み立て孔を通過して、連接部を組み立て孔に設置する。続いて、固定素子は重量ブロックに対して一角度回転し、重量ブロックを頭部と突出部間で制限する。【選択図】図３
0003149601.tif 000002
【実用新案登録請求の範囲】
【請求項１】
ゴルフクラブヘッドであって、
凹槽を有するクラブヘッド本体と、
前記凹槽中に設置される重量アセンブリと、を備え、
前記重量アセンブリは、
組み立て孔を有する重量ブロックと、
頭部、前記クラブヘッド本体に鎖固される鎖固部、前記頭部と前記鎖固部の間に連接される連接部、および前記連接部から突出する突出部を含む固定素子と、を有し、
前記突出部が前記組み立て孔に照準する時、前記鎖固部と前記突出部が前記組み立て孔を通過して、前記連接部を前記組み立て孔中に設置し、続いて、前記固定素子は前記重量ブロックに対し一角度回転して、前記重量ブロックが前記頭部と前記突出部の間で制限されるゴルフクラブヘッド。
【請求項２】
前記組み立て孔は長円孔で、前記突出部の形状は前記組み立て孔の形状に対応し、前記突出部が前記組み立て孔に照準する時、前記突出部が前記組み立て孔を通過することを特徴とする請求項１に記載のゴルフクラブヘッド。
【請求項３】
前記組み立て孔は長軸と短軸を有し、前記頭部の外径は前記長軸より大きく、前記鎖固部と前記連接部の外径は前記短軸とほぼ同じか小さいことを特徴とする請求項１または請求項２に記載のゴルフクラブヘッド。
【請求項４】
前記重量ブロックは容置槽を有し、前記容置槽は前記組み立て孔に連通し、前記組み立て孔と同じ軸心で、その内径は長軸とほぼ等しく、前記連接部が前記組み立て孔中に設置される時、前記突出部が前記容置槽中に容置されることを特徴とする請求項３に記載のゴルフクラブヘッド。
【請求項５】
前記重量ブロックの一表面上に少なくとも一つの識別符号を有し、前記頭部は更に、少なくとも一つの露出孔を有し、前記連接部が前記組み立て孔中に設置される時、前記表面は前記頭部に近接し、且つ、前記露出孔は前記識別符号を露出することを特徴とする請求項１から請求項４の何れかに記載のゴルフクラブヘッド。
【請求項６】
ゴルフクラブヘッドであって、
凹槽を有するクラブヘッド本体と、
前記凹槽中で組み立てられる重量アセンブリと、を備え、
前記重量アセンブリは、
組み立て孔を有する重量ブロックと、
頭部、前記クラブヘッド本体に鎖固される鎖固部、前記頭部と前記鎖固部の間に接続される連接部、および前記連接部を貫通する穿孔を含み、前記鎖固部が前記組み立て孔を通過して、前記連接部を前記組み立て孔に設置する固定素子と、
前記穿孔に嵌設されて、前記重量ブロックを前記頭部と制限素子間で制限する位置制限素子（position  limiting  component）と、
を有することを特徴とするゴルフクラブヘッド。
【請求項７】
前記頭部の外径は前記組み立て孔の内径より大きく、前記鎖固部と前記連接部の外径は、前記組み立て孔の内径と等しいか、小さいことを特徴とする請求項６に記載のゴルフクラブヘッド。
【請求項８】
前記重量ブロックは、更に、容置槽と挿入孔を有し、前記容置槽は前記組み立て孔に連通し、その内径は前記組み立て孔の内径より大きく、前記制限素子の長さより長いか、等しく、前記挿入孔は前記容置槽に連通し、その内径は前記穿孔の内径より大きく、前記制限素子の最大外径と等しいか、それより大きく、前記挿入孔が前記穿孔に照準する時、前記制限素子が前記挿入孔を通過して、前記穿孔中に嵌設され、前記容置槽中に容置されることを特徴とする請求項６または請求項７に記載のゴルフクラブヘッド。
【請求項９】
前記重量ブロックは更に、放出孔を有し、前記放出孔と前記挿入孔は同じ軸心で、その内径は前記制限素子の最大外径より小さく、前記放出孔が前記穿孔に照準する時、前記放出孔により前記制限素子を押して、前記挿入孔により前記制限素子が容置槽中から取り出されることを特徴とする請求項８に記載のゴルフクラブヘッド。
【請求項１０】
前記重量ブロックの一表面上に、少なくとも一つの識別符号を有し、前記頭部は更に、少なくとも一つの露出孔を有し、前記連接部が組み立て孔中に設置される時、前記表面は前記頭部に近接し、且つ、前記露出孔は前記識別符号を露出することを特徴とする請求項６から請求項９の何れかに記載のゴルフクラブヘッド。
【考案の詳細な説明】
【技術分野】
【０００１】
本考案はゴルフクラブヘッド（golf club head）に関するものであって、特に、重量アセンブリ（weight assembly）を有するゴルフクラブヘッドに関するものである。
【背景技術】
【０００２】
現代社会において、スポーツの中でも、ゴルフは大衆が愛するスポーツの一つであり、ゴルフ愛好者が快速に増加している。異なる地形や用途に対応するため、ゴルフクラブはウッド（wooden club）、アイアン（iron club）、パター（putter）等の多種の異なる型式がある。
【０００３】
一般に、一体成型の方式で製造されたゴルフクラブヘッドの重心は前方に偏向している。よって、この種のゴルフクラブヘッドは打球時に安定せず、制球しにくい。この問題を改善するため、近年、製造メーカーはゴルフクラブヘッドに凹槽（concave）を設計し、重量ブロック（mass）を溶接するか、ねじで鎖固する方式で凹槽に嵌設し、ゴルフクラブヘッドの重心を後移、あるいは、下移させて、制球の安定度を増加させている。しかし、溶接による固定は、重量ブロックを凹槽から脱離しにくくするが、ゴルフクラブヘッドの重心位置は使用者の打球特性に基づいて調整することができない。
【０００４】
図１と図２は、公知のゴルフクラブヘッドの構造を示す図であり、図１を参照すると、重量ブロック１１０はねじ１２０によりゴルフクラブヘッド１００の凹槽１０２中に鎖固され、その後、上蓋（cap）１３０を重量ブロック１１０上に鎖固する。これにより、重量ブロック１１０は緊密に凹槽１０２中に固定され、使用者は、打球特性に基づいて、異なる重量の重量ブロック１１０に交換して、ゴルフクラブヘッド１００の重心を調整することができる。しかし、この種のゴルフクラブヘッド１００中、重量ブロック１１０が緊密に凹槽１０２中に嵌合されるので、取り出しにくい。また、ゴルフクラブヘッド１００のパーツ数量が多く、分解後に遺失しやすいという欠点がある。
【０００５】
この他、図２を参照すると、ねじ２２０は一段の逆螺紋２２２と正螺紋２２４を有する。ナット２３０がまず、逆螺紋２２２に鎖固されて、重量ブロック２１０とねじ２２０を連接する。その後、ねじ２２０はまず、正螺紋２２４によりゴルフクラブヘッド２００に鎖固され、重量ブロック２１０を緊密に凹槽２０２中に固定する。この種のゴルフクラブヘッド２００は、ねじ２２０を取り外す時、ねじ２２０は逆螺紋２２２によりナット２３０に固定されているので、逆螺紋２２２とナット２３０により、重量ブロック２１０を凹槽２０２中から取り出すことができる。よって、重量ブロック２１０が凹槽２０２中に留まったままになることがない。しかし、ゴルフクラブヘッド１００と同じで、ゴルフクラブヘッド２００のパーツ数量は多いので、分解後、遺失しやすいという欠点がある。
【考案の概要】
【考案が解決しようとする課題】
【０００６】
本考案は、ゴルフクラブヘッドを提供し、上述の問題を解決することを目的とする。
【課題を解決するための手段】
【０００７】
本考案のゴルフクラブヘッドは、パーツの数量が少なく、固定素子（（fastener）は、クラブヘッド本体（club head body）上から取り外す時、重量ブロックを帯動して、クラブヘッド本体の凹槽から出る。
【０００８】
本考案のゴルフクラブヘッドは、クラブヘッド本体と重量アセンブリを備える。クラブヘッド本体は凹槽を有する。重量アセンブリは凹槽中で組み立てられ、重量ブロックと固定素子を有する。重量ブロックは組み立て孔（assembling hole）を有する。固定素子は、頭部（head portion）、クラブヘッド本体に鎖固される鎖固部（fastening portion）、頭部と鎖固部の間に連接される連接部（connecting portion）、および連接部から突出する突出部（protruding portion）を含む。突出部が組み立て孔に照準する時、鎖固部と突出部は組み立て孔を通過して、連接部を組み立て孔に設置する。その後、固定素子は重量ブロックに対して一角度回転し、重量ブロックを頭部と突出部間で制限する。
【０００９】
本考案の実施例中、組み立て孔は長円孔（oblong  hole）で、突出部の形状は組み立て孔の形状に対応する。突出部が組み立て孔に照準する時、突出部は組み立て孔を通過する。
【００１０】
本考案の実施例中、上述の組み立て孔は長軸（major  axis）と短軸（minor  axis）を有する。頭部の外径は長軸より大きく、鎖固部と連接部の外径は短軸とほぼ同じか小さい。
【００１１】
本考案の一実施例中、上述の重量アセンブリは容置槽（containing  cavity）を有する。容置槽は組み立て孔に連通し、組み立て孔と同じ軸心で、その内径は長軸とほぼ等しい。連接部が組み立て孔中に設置される時、突出部が容置槽中に容置される。
【００１２】
別の具体例において、本考案のゴルフクラブヘッドは、クラブヘッド本体と重量アセンブリを備える。クラブヘッド本体は凹槽を有する。重量アセンブリは凹槽中で組み立てられ、重量ブロックと、固定素子と、位置制限素子（position  limiting  component）と、を有する。重量ブロックは組み立て孔を有する。固定素子は、頭部、クラブヘッド本体に鎖固される鎖固部、頭部と鎖固部の間に接続される連接部、および連接部を貫通する穿孔を含む。鎖固部は組み立て孔を通過して、連接部を組み立て孔中に設置し、制限素子は穿孔に嵌設されて、重量ブロックを頭部と制限素子間で制限する。
【００１３】
本考案の一実施例中、上述の頭部の外径は組み立て孔の内径より大きく、鎖固部と連接部の外径は、組み立て孔の内径と等しいか、小さい。
【００１４】
本発明の一実施例中、上述の重量ブロックは容置槽と挿入孔（inserting  aperture）を有する。容置槽は組み立て孔に連通し、その内径は組み立て孔の内径より大きく、制限素子の長さより長いか、等しい。挿入孔は容置槽に連通し、その内径は穿孔の内径より大きく、制限素子の最大外径と等しいか、それより大きい。挿入孔が穿孔に照準する時、制限素子が挿入孔を通過して、穿孔中に嵌設され、容置槽中に容置される。
【００１５】
本考案の実施例中、上述の重量ブロックは更に、放出孔（ejecting  aperture）を有する。放出孔と挿入孔は同じ軸心で、その内径は制限素子の最大外径より小さい。放出孔が穿孔に照準する時、放出孔により制限素子を押して、挿入孔により制限素子が容置槽中から取り出される。
【００１６】
本考案の実施例中、上述の重量ブロックの一表面上に、少なくとも一つの識別符号を有し、頭部は更に、少なくとも一つの露出孔を有する。連接部が組み立て孔中に設置される時、表面は頭部に近接し、且つ、露出孔は識別符号を露出する。
【考案の効果】
【００１７】
本考案中、重量アセンブリのパーツ数量が少ないので、重量アセンブリの分解と組み立てが簡単で、且つ、パーツはクラブヘッド本体上で取り外した後遺失しにくい。この他、固定素子は、クラブヘッド本体上から取り外す時、重量ブロックを帯動して、クラブヘッド本体の凹槽から出る。よって、公知技術と比較すると、本考案中、重量ブロックは容易に凹槽中から取り出せる。
【図面の簡単な説明】
【００１８】
【図１】公知のゴルフクラブヘッドの構造図である。
【図２】公知のゴルフクラブヘッドの構造図である。
【図３】本考案の実施例の重量アセンブリの組み合わせ図である。
【図４】図３の分解図である。
【図５】図４中の重量ブロックの上視図である。
【図６】図４中の固定素子の上視図である。
【図７】本考案の実施例のゴルフクラブヘッドの構造図である。
【図８】図４中の重量ブロックの底視図である。
【図９】図４中の固定素子の底視図である。
【図１０】本考案のもう一つの実施例の重量アセンブリの組み合わせ図である。
【図１１】本考案のもう一つの実施例のゴルフクラブヘッドの構造図である。
【考案を実施するための形態】
【実施例１】
【００１９】
図３は、本考案の一実施例の重量アセンブリの組み合わせ断面図である。図４は図３の分解断面図である。図３と図４で示されるように、重量アセンブリ３００は、重量ブロック３１０と固定素子３２０を有する。重量ブロック３１０は組み立て孔３１２を有し、固定素子３２０は頭部３２２、鎖固部３２４、連接部３２６、および突出部３２８を含む。連接部３２６は頭部３２２と鎖固部３２４間に連接され、突出部３２８は連接部３２６から突出する。また、突出部３２８が組み立て孔３１２に照準する時、鎖固部３２４と突出部３２８は組み立て孔３１２を通過して、連接部３２６を組み立て孔３１２中に設置する。続いて、固定素子３２０は重量ブロック３１０に対し一角度回転して、重量ブロック３１０が頭部３２２と突出部３２８間で制限される。
【００２０】
図５は図４中の重量ブロックの上視図である。図６は図４の固定素子の上視図である。図４〜図６を参照すると、この実施例中、組み立て孔３１２は例えば、長円孔で、長軸D１と短軸D２を有する。また、突出部３２８の形状は組み立て孔３１２の形状に対応し、突出部３２８が組み立て孔３１２に照準する時、突出部３２８は丁度、組み立て孔３１２を通過する。更に、重量ブロック３１０は容置槽３１４を有し、組み立て孔３１２に連通して、組み立て孔３１２と同じ軸心で、その内径は長軸D１にほぼ等しい。この他、頭部３２２の外径は長軸D１より大きく、重量ブロック３１０の外径と等しい。また、鎖固部３２４の外径は短軸D２より小さく、連接部３２６の外径は、短軸D２とほぼ等しい。その他の図示しない実施例中、連接部の外径は短軸より短い、或いは、鎖固部の外径と連接部の外径がどちらも短軸に等しくてもよい。
【００２１】
つまり、突出部３２８が組み立て孔３１２に照準する時だけ、突出部３２８が組み立て孔３１２を通過する。また、突出部３２８が組み立て孔３１２を通過後、使用者は固定素子３２０と重量ブロック３１０を回転させるだけで、重量ブロック３１０が頭部３２２と突出部３２８間で制限される。これにより、重量アセンブリ３００の組み立てが完成する。この時、図３で示されるように、突出部３２８は容置槽３１４中に容置され、容置槽３１４中で回転することができる。
【００２２】
図７は本考案の実施例によるゴルフクラブヘッドの構造断面図である。図７を参照すると、ゴルフクラブヘッド４００はクラブヘッド４１０の本体図３中の重量アセンブリ３００を備える。クラブヘッド４１０の本体は凹槽４１２を有し、鎖固部３２４はクラブヘッド４１０の本体に鎖固されて、重量アセンブリ３００を凹槽４１２中に設置する。つまり、重量アセンブリ３００の組み立て完成後、使用者は固定素子３２０により、重量ブロック３１０を凹槽４１２中に鎖固することができる。
【００２３】
注意すべきことは、突出部３２８が組み立て孔３１２に照準する時だけ、突出部３２８が組み立て孔３１２を通過する。よって、固定素子３２０が凹槽４１２から旋出する時、突出部３２８は容置槽３１４中で回転し、組み立て孔３１２と干渉を生成して、重量ブロック３１０を帯動して、重量ブロック３１０が凹槽４１２から退出する。よって、公知技術と比較すると、重量ブロック３１０は、凹槽４１２中に留まったままになることがない。この他、図１と図２中で示される公知技術と比較すると、本考案の重量アセンブリ３００は重量ブロック３１０と固定素子３２０の二個のパーツだけを有する。よって、重量アセンブリ３００の分解と組み立てが容易で、パーツはクラブヘッド４１０から取り外した後、遺失しにくい。
【００２４】
図８は図４中の重量アセンブリの底視図で、図９は図４の固定素子の底視図である。図８と図９を参照すると、重量ブロック３１０の一表面３１６上は、更に、少なくとも一つの識別符号３１８を有し（図８では二個示される）、例えば、表面３１６はペンキを塗る領域である。つまり、使用者は表面３１６上に異なる色に塗布されたペンキにより、重量ブロック３１０の重量を識別することができる。更に、固定素子３２０の頭部３２２は、少なくとも一つの露出孔３２９を有する（図９では６個示される）。また、連接部３２６（図４で示される）が組み立て孔３１２中に設置される時、表面３１６は頭部３２２に近接し、露出孔３２９が識別符号３１８を露出する。これにより、使用者は重量アセンブリ３００を分解しなくても、露出孔３２９により識別符号３１８を見て、重量ブロック３１０の重量を識別することができる。よって、重量アセンブリ３００は使用上便利である。
【実施例２】
【００２５】
図１０は本考案のもう一つの具体例による重量アセンブリの組み合わせ断面図で、図１１は本考案のもう一つの具体例によるゴルフクラブヘッドの構造断面図である。図１０で示されるように、重量アセンブリ５００は、重量ブロック５１０、固定素子５２０、及び、制限素子５３０を有する。重量ブロック５１０は組み立て孔５１２を有し、固定素子５２０は頭部５２２、鎖固部５２４、連接部５２６、及び、穿孔５２８を含む。連接部５２６は頭部５２２と鎖固部５２４間に連接され、穿孔５２８は連接部５２６を貫通する。この他、鎖固部５２４は組み立て孔５１２を通過して、連接部５２６が組み立て孔５１２中に設置され、制限素子５３０は穿孔５２８に嵌設されて、重量ブロック５１０が頭部５２２と制限素子５３０間で制限される。
【００２６】
この実施例中、頭部５２２の外径は組み立て孔５１２の内径より大きく、鎖固部５２４の外径は組み立て孔５１２の内径にほぼ等しい。連接部５２６の外径は組み立て孔５１２の内径より小さい。その他の図示されない実施例中、鎖固部５２４の外径は組み立て孔５１２の内径より小さいか、或いは、鎖固部５２４の外径と連接部５２６の外径は、組み立て孔５１２の内径にほぼ等しい。
【００２７】
この他、重量ブロック５１０は、更に容置槽５１４、挿入孔５１６、及び、放出孔５１８を有する。容置槽５１４は組み立て孔５１２に連通し、その内径は組み立て孔５１２の内径より大きく、制限素子５３０の長さにほぼ等しい。挿入孔５１６と放出孔５１８は同じ軸心で、どちらも容置槽５１４に連通する。挿入孔５１６の内径は穿孔５２８の内径より大きく、制限素子５３０の最大外径にほぼ等しい。放出孔５１８の内径は、制限素子５３０の最大外径より小さい。この他、その他の図示されない実施例中、容置槽の内径は制限素子の長さより大きくてもよく、挿入孔の内径は制限素子の最大外径より大きくてもよい。
【００２８】
簡単には、この実施例中の重量アセンブリ５００は重量アセンブリ３００と似ており、二者の差異は、図１０で示される重量アセンブリ５００が穿孔５２８に嵌設される制限素子５３０が、図３中の重量アセンブリ３００の突出部３２８を代替することである。つまり、本実施例中、穿孔５２８が挿入孔５１６と放出孔５１８に照準する時だけ、制限素子５３０は挿入孔５１６を通過して、穿孔５２８中に嵌設され、容置槽５１４中に容置されるか、或いは、放出孔５１８により押されて、挿入孔５１6により穿孔５２８と容置槽５１４から取り出される。
【００２９】
上述に基づくと、図１１を参照し、本実施例中のゴルフクラブヘッド６００中、固定素子５２０は、クラブヘッド６１０の凹槽６１２中から旋出する時、制限素子５３０が容置槽５１４中で回転し、組み立て孔５１２と干渉を生成して、重量ブロック５１０を帯動して、重量ブロック５１０が凹槽６１２から退出する。よって、公知技術と比較すると、重量ブロック５１０は凹槽６１２中に留まったままになりにくい。
【００３０】
この他、前の実施例と同じで、重量ブロック５１０は頭部５２２の表面５１９上方向に、更に、識別符号（図示しない）を有し、固定素子５２０の頭部５２２は更に、露出孔（図示しない）を有する。よって、使用者は重量アセンブリ５００を分解しなくても、露出孔から露出した識別符号により重量ブロック５１０の重量を識別することができる。
【００３１】
総合すると、本考案は、重量アセンブリのパーツ数量が少ないので、重量アセンブリの分解と組み立てが簡単で、且つ、パーツはクラブヘッド本体上で取り外した後遺失しにくい。この他、固定素子が凹槽から旋出するとき、突出部が容置槽中で回転し、組み立て孔と干渉を生成して、重量アセンブリを帯動して、重量アセンブリが凹槽から退出する。よって、公知技術と比較すると、重量ブロックは凹槽中に残りにくい。この他、使用者は重量アセンブリを分解しなくても、露出孔から識別符号を見て、重量ブロックの重量を識別することができ、よって、重量アセンブリは使用上、便利である。
【００３２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【符号の説明】
【００３３】
１００、２００  ゴルフクラブヘッド
１０２、２０２  凹槽
１１０、２１０  重量ブロック
１２０、２２０  ねじ
１３０  上蓋
２２２  逆螺紋
２２４  正螺紋
２３０  ナット
３００、５００  重量アセンブリ
３１０、５１０  重量ブロック
３１２、５１２  組み立て孔
３１４、５１４  容置槽
３１６  ５１９  表面
３１８  識別符号
３２０、５２０  固定素子
３２２、５２２  頭部
３２４、５２４  鎖固部
３２６、５２６  連接部
３２８  突出部
３２９  露出孔
４００、６００  ゴルフクラブヘッド
４１０、６１０  クラブヘッド
４１２  ６１２  凹槽
５１６  挿入孔
５１８  放出孔
５２８  穿孔
５３０  制限素子
D１  長軸
D２  短軸
【図１】
0003149601.tif 000003
【図２】
0003149601.tif 000004
【図３】
0003149601.tif 000005
【図４】
0003149601.tif 000006
【図５】
0003149601.tif 000007
【図６】
0003149601.tif 000008
【図７】
0003149601.tif 000009
【図８】
0003149601.tif 000010
【図９】
0003149601.tif 000011
【図１０】
0003149601.tif 000012
【図１１】
0003149601.tif 000013